(57)【要約】  特に保護、安全、水棲生物養殖又は建築目的のネットは、別個の螺旋状に湾曲した長手方向要素（３）から編まれ、編組構造を形成する。  円筒形又はねじ形に湾曲した別個の長手方向要素（３）は、交互に撚り合わされ、平坦に押圧され、これによって上記編組構造が、おおよそ平坦なシート様形状を形成し、ここで長手方向要素（３）は、それぞれおおよそ矩形の肢状部（８ａ、８ｂ；９ａ、９ｂ）及びこの肢状部（８ａ、８ｂ；９ａ、９ｂ）の間のカーブ（１０ａ、１０ｂ；１１ａ、１１ｂ）を形成する。細長肢状部（８ａ、８ｂ；９ａ、９ｂ）の間のカーブ（１０ａ、１０ｂ；１１ａ、１１ｂ）は、ねじれた形状に屈曲させられる。これにより、予想外に高い強度値を有するネットの設計が提供される。【選択図】図２
2015516799.tif 000002
【特許請求の範囲】
【請求項１】
水棲生物養殖又は建築用のネットであって、
前記ネットは、別個の螺旋状の又は同様に屈曲させられたワイヤ等の長手方向要素（３）から編まれて編組構造（１）を形成し、
前記別個の長手方向要素（３）は、円筒形若しくはねじ型又は同様に曲げられ、交互に撚り合わされ、平坦に押圧され、これによって前記編組構造（１）が、おおよそ平坦なシート様形状（Ａ）を形成し、
前記長手方向要素（３）が、それぞれおおよそ矩形の肢状部（８ａ、８ｂ；９ａ、９ｂ）及び前記肢状部（８ａ、８ｂ；９ａ、９ｂ）の間のカーブ（１０ａ、１０ｂ；１１ａ、１１ｂ）を形成するネットにおいて、
前記細長肢状部（８ａ、８ｂ；９ａ、９ｂ）の間の前記カーブ（１０ａ、１０ｂ；１１ａ、１１ｂ）は、それぞれねじれのように形成されることを特徴とする、ネット。
【請求項２】
前記肢状部（８ａ、８ｂ；９ａ、９ｂ）の間のねじれの形態でそれぞれ作製される前記カーブ（１０ａ、１０ｂ；１１ａ、１１ｂ）は、隣接する各前記肢状部（８ａ、８ｂ；９ａ、９ｂ）が、前記平坦なシート様形状（Ａ）及び追加の角度（α）が達成されるまで、その長手方向延長部分に対して横断方向に互いを圧迫するように製造されることを特徴とする、請求項１に記載のネット。
【請求項３】
巻かれた前記長手方向要素（３）はそれぞれ、前記カーブ（１０ａ、１０ｂ；１１ａ、１１ｂ）の間の前記肢状部（８ａ、８ｂ；９ａ、９ｂ）の少なくとも１つの僅かなねじれ（１５ａ、１５ｂ；１６ａ、１６ｂ）を有するように形成されることを特徴とする、請求項１又は２に記載のネット。
【請求項４】
前記ねじれ（１５ａ、１５ｂ；１６ａ、１６ｂ）は、それぞれネット表面（１４）に対して横断方向に延在し、前記肢状部（８ａ、８ｂ；９ａ、９ｂ）のおおよそ中央部に配設されることを特徴とする、請求項３に記載のネット。
【請求項５】
それぞれ前記ネット表面（１４）に対して横断方向に延在する前記ねじれ（１５ａ、１５ｂ；１６ａ、１６ｂ）は、最大数ミリメートルの高さを有し、
前記高さは好ましくは、前記長手方向要素（３）の直径に応じて決定される
ことを特徴とする、請求項３又は４に記載のネット。
【請求項６】
前記長手方向要素（３）は、前記ネット表面（１４）を横断するように交互に反対方向に屈曲させられた前記ねじれ（１５ａ、１５ｂ；１６ａ、１６ｂ）を有することを特徴とする、請求項１〜５のいずれか１項に記載のネット。
【請求項７】
前記長手方向要素（３）は、菱型の網目（１２）を形成し、
前記網目（１２）の前記肢状部（８ａ、８ｂ；９ａ、９ｂ）は、反対方向に屈曲させられた前記ねじれ（１５ａ、１５ｂ；１６ａ、１６ｂ）を備える
ことを特徴とする、請求項６に記載のネット。
【請求項８】
前記長手方向要素（３）は、耐腐食性、耐錆性、かつ腐食保護コーティング済みの鋼鉄製のワイヤ、コード又はストランドから製造されることを特徴とする、請求項１〜７のいずれか１項に記載のネット。
【請求項９】
前記ワイヤ、コード又はストランドは、好ましくは１０００〜３２００Ｎ／ｍｍ2の公称強度を有する高強度鋼鉄から製造されることを特徴とする、請求項１〜８のいずれか１項に記載のネット。
【請求項１０】
前記ワイヤ、コード又はストランドの端部を結び目で連結してループ（１７ａ、１７ｂ；１８ａ、１８ｂ）を形成し、これを用いて前記ワイヤ、コード又はストランドを、ワイヤクリップ若しくはワイヤフック又は同様の接続要素でペアにして互いに可撓性接続できることを特徴とする、請求項１〜９のいずれか１項に記載のネット。
【請求項１１】
列状に配設されたプレス器具（２１、２２）を備え、
前記プレス器具（２１、２２）は、螺旋状に屈曲させられた前記長手方向要素（３）の長手方向延長を横断する方向に互いに対して調整でき、
前記プレス器具（２１、２２）は、それぞれ前面側に、前記長手方向要素をセンタリングし、かつ前記肢状部（８ａ、８ｂ；９ａ、９ｂ）の傾斜角に従って沿う案内溝（２１’、２２’）を備え、
前記プレス器具の初期位置において、前記螺旋状に屈曲させられた長手方向要素を方向転換させるか、又は前記プレス器具の前記案内溝に挿入でき、
前記長手方向要素（３）は、前記プレス器具の最終位置において圧迫される、請求項１〜１０のいずれか１項に記載の装置であって、
前記カーブ（１０ａ、１０ｂ；１１ａ、１１ｂ）それぞれのねじれ形状は、前記平坦なシート様形状（Ａ）に到達するまで延伸する前記細長肢状部（８ａ、８ｂ；９ａ、９ｂ）が、そのおおよそ全長にわたって前記プレス器具（２１、２２）を通して案内され、前記長手方向要素（３）はそれぞれ、前記カーブ（１０ａ、１０ｂ；１１ａ、１１ｂ）においてのみ前記プレス器具（２１、２２）から突出することによって生成されることを特徴とする、請求項１〜１０のいずれか１項に記載の装置。
【請求項１２】
前記肢状部（８ａ、８ｂ；９ａ、９ｂ）は、前記平坦なシート様形状（Ａ）及び追加の角度（α）が達成されるまで、前記各カーブ（１０ａ、１０ｂ；１１ａ、１１ｂ）において圧迫できることを特徴とする、請求項１１に記載の装置。
【発明の詳細な説明】
【技術分野】
【０００１】
本発明は、請求項１の前提部分に記載の特に保護、安全、水棲生物養殖又は建築用を目的としたネット、及び上記ネットを製造するための装置に関する。
【背景技術】
【０００２】
本発明に係るネットは、高い引張り強度及び良好な変形性を有すること、並びにこれに基づいて相当な程度まで応力を印加できることを特徴とする。このタイプの保護ネットは、複数の螺旋状ワイヤからなる高強度編組構造に関する特許文献１に開示されており、これら螺旋状ワイヤは交互に撚り合わされ、平坦に押圧されてループの３次元配列を形成する。このような処理によって、網組構造を安価に製造できる。
【先行技術文献】
【特許文献】
【０００３】
【特許文献１】国際公開特許第２０１０／０４９０８９号
【発明の概要】
【発明が解決しようとする課題】
【０００４】
本発明の目的は、単純な構成手段を用いて、上述の利点を維持したままネットの強度を改善すること、及びこのようなネット又は網組構造の、欠点のない製造を可能とすることである。
【課題を解決するための手段】
【０００５】
このような目的は、請求項１の特徴部分、またネットの製造装置が請求項１１の特徴部分を有することによって、本発明に従って達成される。
【０００６】
有利には、細長肢状部の間のねじれの形態でそれぞれ作製されるこれらのカーブは、隣接する各肢状部が、平坦なシート様形状及び追加の角度が達成されるまで、その長手方向延長部分に対して横断方向に互いを圧迫するようにして製造される。
【０００７】
本発明による装置では、平坦なシート様形状を達成するように製造される細長肢状部は、その略全長にわたって、プレス器具によって案内され、長手方向要素はそれぞれ、上記カーブにおいてのみ上記プレス器具から突出する。
【０００８】
本発明による肢状部領域のねじれは、ネットの可撓性を増大させ、ネットの幾何学的構造をある程度自由に動くようにし、これによって必然的に、視覚的に有利なカモフラージュ効果が得られる。本発明によるこのようなネットは特に自然災害に対抗するために使用されるため、上記効果は従来のネットに対して利点となる。
【０００９】
更に、ネットのねじれによって、３次元構造を自由に動くようにすることができ、これにより、建築用途において例えば大規模なファサードカバーとして使用できる新規の視覚効果を達成できる。
【００１０】
網組構造の略鏡像対称設計のために、本発明は、上記長手方向要素に、ネット表面を横断するように交互に反対方向に屈曲したねじれを設けることを提案する。この手段は、長手方向要素が菱型ループを形成し、その肢状部が反対方向に屈曲したねじれを有するようにする場合に特に有利である。
【００１１】
本発明はまた、環境的に不利な条件下での保護ネットの使用にあっては、耐腐食性、耐錆性、かつ腐食保護コーティング済みの鋼鉄製のワイヤ、コード又はストランドで長手方向要素を製造することも提案する。この場合、ワイヤ、コード又はストランドは、１０００〜３２００Ｎ／ｍｍ2の強度を有する高強度鋼鉄から製造される。
【００１２】
長手方向要素の可撓性端部接続のために、ワイヤ、コード又はストランドの端部を結び目で連結してループを形成し、これによって上記ワイヤ、コード又はストランドをペアにして互いに接続して、ワイヤクリップ、ワイヤフック又は同様の接続要素とすることができる。
【００１３】
図面を参照し、例示的実施形態を用いて、本発明を以下に詳細に説明する。
【図面の簡単な説明】
【００１４】
【図１】図１は、本発明によるネットの、簡略化した正面図である。
【図２】図２は、図１による保護ネットの長手方向要素の斜視図である。
【図３】図３は、図１の矢印Iの方向から見た、図２の長手方向要素の実施形態である。
【図４】図４は、図１の矢印Iの方向から見た、図２の長手方向要素の別の実施形態である。
【図５】図５は、本発明によるネットの製造のための装置の２つのプレス器具の斜視図である。
【図６】図６は、螺旋形状に屈曲したワイヤを平坦に押圧する２つのプレス器具を、互いに対して調整されたある位置においてそれぞれ図式的に示した図である。
【図７】図７は、螺旋形状に屈曲したワイヤを平坦に押圧する２つのプレス器具を、互いに対して調整された別の位置においてそれぞれ図式的に示した図である。
【図８】図８は、螺旋形状に屈曲したワイヤを平坦に押圧する２つのプレス器具を、互いに対して調整された更に別の位置においてそれぞれ図式的に示した図である。
【発明を実施するための形態】
【００１５】
図１は、落石、地すべり、雪崩、不安定な盛り土及び同様の自然災害に対する保護用のネットとして特に使用できるネット１の一部を示す。ネット１は更に、建築において安全目的及び審美的目的が満足される。例えばこのようなネットは、フェンスシステム、隔離及び安全バリア、シャッター保護、侵入及び逃亡防止、車両又は船舶の通行遮断、並びに安全に関連するネットを用いた更なる解決策として使用される。しかしながら、このタイプのネットは、ある水域における魚類、ムール貝又は軟体動物の養殖のためのバスケット又はカバーの保護ネットとしても適当である。
【００１６】
ネット１は、図１に示すように螺旋状に屈曲させた鋼鉄製ワイヤ４、５、６、７の形態の長手方向要素３から製造されたワイヤメッシュ網組構造２から形成されている。螺旋状の形態に屈曲させられたワイヤ４、５、６、７のペアを交互に撚り合わせて、１つに編み込み、平坦に押圧して、成形プロセスの最後に、規則的に連続した肢状部８ａ、８ｂ；９ａ、９ｂ及びカーブ１０ａ、１０ｂ；１１ａ、１１ｂを有する図２に示すような形状を得る。ここで、巻かれた長手方向要素３を、これらがおおよそ矩形になるように、肢状部８ａ、８ｂ；９ａ、９ｂの領域で圧迫する。
【００１７】
このようにして製造されたワイヤメッシュ網組構造２は、菱型の網目１２を有し、その可撓性を有する接続部１３は、図３、４において略平坦なシート様形状Ａと共に一点鎖線で示すネット表面１４を画定する。
【００１８】
長手方向要素３のワイヤをその端部において屈曲させるか又は結び目で連結して、ループ１７ａ、１７ｂ；１８ａ、１８ｂを形成し、これは、ループ１７ａ、１７ｂ及び１８ａ、１８ｂを通ってペアの状態で案内されるワイヤクリップ若しくはワイヤフックを用いて、又は同様の要素を端部に用いて端部で接続される。結び目で連結されたワイヤ端部は更に、保護ネットの隣接するネット部分への安価な接続を可能とする。言うまでもなく、結び目の代わりに、長手方向要素のワイヤ端部のその他の同等の端部接続も使用できる。
【００１９】
本発明によると、巻かれた長手方向要素３を、ネット表面１４のおおよそ平坦なシート様形状Ａに成型し、ここでカーブ１０ａ、１０ｂ；１１ａ、１１ｂは、それぞれねじれの形態で製造される。これらのねじれ様カーブ１０ａ、１０ｂ；１１ａ、１１ｂは、各カーブ１０ａ、１０ｂ；１１ａ、１１ｂの内側の曲率半径が極めて小さくなるか、又は略ゼロとなるように形成される。
【００２０】
更に、長手方向要素３を、これらがネット表面１４においておおよそ平坦となるよう、そしてこれらがそれぞれ、肢状部領域においてネット表面１４に対して横断方向の僅かなねじれ１５ａ、１５ｂ；１６ａ、１６ｂを有するように形成する。このような単純な手段は、ねじれが無い場合に比べて、ネットが高い引張強度及び引裂き強度値並びに明らかに高い変形性を有するようになるという効果を有する。このようにして、重量物による衝撃があった場合にネットがより大きな動力学的エネルギーを吸収できるようになる。
【００２１】
ねじれ１５ａ、１５ｂ；１６ａ、１６ｂは、肢状部８ａ、８ｂ；９ａ、９ｂの略中央部に、ネット表面１４を横断するように交互に反対方向に設けられる。これらは最大数ミリメートルの高さを有し、この高さは有利には、長手方向要素３の直径に応じて決定される。
【００２２】
本発明の枠内において、各肢状部に同一又は反対方向に走る多数のねじれを設けることもできる。極めて僅かなねじれでも、用途に応じた弾性又は塑性ばね機能を実現できる。
【００２３】
図３、４からわかるように、本発明の枠内において、長手方向要素３がネット表面１４においておおよそ平坦であり、かつ肢状部８ａ、８ｂ；９ａ、９ｂがネット表面１４に対して横断方向に僅かなねじれを備える限りにおいて、ワイヤ網組構造を２の幾何学的構造を変更することもできる。使用条件に応じて、コード又はストランドで作製された網組構造も使用できる。
【００２４】
ワイヤ３間の可撓性接続１３によって、この網組構造を巻き上げたり、又は折り畳んだりできるようになる。これはネットの輸送及び保管に有利である。
【００２５】
図５〜８は、本発明による装置の複数のプレス器具のうち列状に配設された２つのプレス器具２１、２２を示す。これらのプレス器具２１、２２はそれぞれ、前面側にワイヤ３を受承する案内用溝２１’、２２’を備え、またこれらのプレス器具２１、２２は、上記案内用溝２１’、２２’が互いの方向を向くように交互に配向され、かつ上記案内用溝２１’、２２’が肢状部８ａ、８ｂ；９ａ、９ｂの傾斜角度に従って走るように、互いに対して配設される。ここでこれらのプレス器具２１、２２は、互いから特定の距離だけ離間するように、駆動可能なロッドを用いて、螺旋状に屈曲した長手方向要素３の長手方向への延長に対して横断方向に、前後に調整できる。
【００２６】
図６は、複数のプレス器具のうち、個々のワイヤ螺旋の傾斜高さに応じて離間した列状に配設された、２つのプレス器具２１、２２を示す。ここで、螺旋状に屈曲させられたワイヤ３はその長手方向軸に沿って方向転換して案内用溝２１’、２２’内へとねじ込まれ、同時に、既に平坦に押圧された隣接するワイヤに編み込まれるが、これについては詳述しない。このようにしてネットを連続的に製造できる。
【００２７】
図７は、互いに対して変位され、ワイヤ３を圧迫する位置にある、２つのプレス器具２１、２２を示す。
【００２８】
図８によるプレス器具２１、２２の最終位置から、それぞれねじれた形状に作製された長手方向要素のカーブ１０ａ、１０ｂを、細長肢状部８ａ、８ｂの間に製造する方法が明らかとなる。図５からもわかるように、平坦なシート様形状を達成するように製造される細長肢状部８ａ、８ｂは、その略全長にわたって、プレス器具２１、２２によって案内される。ここで長手方向要素３はそれぞれ、カーブ１０ａ、１０ｂにおいてのみプレス器具２１、２２から突出する。
【００２９】
隣接する肢状部８ａ、８ｂは、それぞれ平坦なシート様形状Ａ及び追加の角度αが形成されるまで、その長手方向延長に対して横断方向に互いを圧迫する。肢状部がこのように過剰に拡張される場合、各カーブのねじれ形状は更に好ましい。なぜなら、これによってある種の強度上昇がある程度起こり、またプレス器具が引き戻されて肢状部がばねの作用で戻ることによって長手方向要素が解放されると、この角度α（好ましくは１０〜３０°）が小さくなるからである。
【００３０】
長手方向要素３にねじれ１５ａ、１５ｂ；１６ａ、１６ｂを製造するために、プレス器具２１、２２にピン２４、２５を設け、これらピン２４、２５は、長手方向要素３の長手方向延長に対して横断方向に、前後に移動でき、また好ましくは、このような永続的なねじれが生成される程度に、図８に示すプレス器具２１、２２の端部位置において、肢状部８ａ、８ｂに対して垂直に移動する。
【００３１】
ワイヤ編組構造で作製されたネットに関しては、特に高い負荷に耐えられる１０００〜３２００Ｎ／ｍｍ2の強度を有する高強度ワイヤを使用するのが好ましい。
【００３２】
しかしながら用途及び所望の変形特性によっては、３５０〜１０００Ｎ／ｍｍ2の範囲の公称強度における応用も有利である。
【００３３】
屋外での防錆に対する使用条件を考慮すると、耐腐食性鋼鉄又は腐食保護コーティング済みの鋼鉄が好ましい。これらのネットを魚類又はムール貝の養殖におけるバスケット又はカバーとして使用する場合、ネットは例えば銅を含有してもよい防汚層を備えている。コード又はストランドを使用する場合、上記で明記した公称強度値を有する高強度ワイヤでのみによってこのネットを作製する必要はない。
【００３４】
更に本発明によるネット用いて、例えばムール貝養殖用要素にかぶせて配置できる、丸みを帯びた、円筒形に閉鎖されるネット要素を製造することも可能である。別個のネット要素からなる立方体型本体も製造可能である。
【００３５】
本発明によるネットに対応するワイヤの直径は、好ましくは０．５〜５．０ｍｍの範囲である。個々のワイヤの代わりに、（例えば２〜７本のワイヤからなる）ストランドも使用できる。
【００３６】
以上の例示的実施形態により、本発明を十分に例証した。しかしながら、本発明は他のバージョンによっても説明できる。即ち、例えば用途に応じて、各肢状部要素には多数のねじれを設けることもでき、又は理論上一切のねじれを設けないものとすることもできる。ここで好ましくは、奇数個のねじれが有利である。上述のねじれの代わりに、同様の成形によっても、本発明による改善が有利にもたらされる。このような成形は、ねじれと同様、若干細長い形状及び／又は楕円形状となるように作製できる。
【００３７】
目的とするネットの使用法に応じて、個々の長手方向要素を異なる強度で作製することも原理的には可能である。
【図１】
2015516799.tif 000003
【図２】
2015516799.tif 000004
【図３】
2015516799.tif 000005
【図４】
2015516799.tif 000006
【図５】
2015516799.tif 000007
【図６】
2015516799.tif 000008
【図７】
2015516799.tif 000009
【図８】
2015516799.tif 000010
【国際調査報告】
2015516799.tif 000011
2015516799.tif 000012
2015516799.tif 000013
2015516799.tif 000014